(57)【要約】【課題】ＶｏＩＰ通話を行なうＶｏＩＰユニットとして、発呼時に通話相手先に通知する発信者通知用番号を任意の番号に簡単な操作で変更設定可能とする。【解決手段】コンピュータ３０１からＶｏＩＰ通話の発呼の際、任意の番号に変更して設定した発信者番号を、通話相手先を示す電話番号と共に制御部１１０に対して入力し、ＲＯＭ１１２の発信者番号変更手段１１２ａにより、入力された前記発信者番号を前記発信者通知用番号として用い、入力された前記電話番号に指定された通信相手先にネットワーク５０１を介してＶｏＩＰ通話用の発呼を行なう。前記発信者番号と前記ＶｏＩＰ番号との入力順序はいずれを前としても良く、また、前記発信者番号と前記ＶｏＩＰ番号との間を区切る区切り信号として、フッキング、‘＊’、‘＃’のいずれを用いても良い。また、前記発信者通知用番号を呼び出し用の呼出番号と共にＲＡＭ１１１に予め設定登録することも可能である。【選択図】図１
2005086786.tif 000002
【特許請求の範囲】
【請求項１】
デジタル加入者回線を含むブロードバンド加入者回線を介してネットワークに接続されており、パケットベースの音声通話であるＶｏＩＰ通話呼を扱う通信端末を含む複数の通信端末を内部接続したＶｏＩＰユニットにおいて、ＶｏＩＰ通話用の発呼時に、通話相手先に通知する発信者通知用番号を任意の番号に変更して設定することができる発信者番号変更手段を具備したことを特徴とするＶｏＩＰユニット。
【請求項２】
請求項１に記載のＶｏＩＰユニットにおいて、前記発信者番号変更手段が、ＶｏＩＰ通話用の発呼時に、前記発信者通知用番号を任意の番号に変更して設定する場合、変更して設定される前記発信者通知用番号が通話相手先を示す電話番号の前に入力されることを特徴とするＶｏＩＰユニット。
【請求項３】
請求項１に記載のＶｏＩＰユニットにおいて、前記発信者番号変更手段が、ＶｏＩＰ通話用の発呼時に、前記発信者通知用番号を任意の番号に変更して設定する場合、変更して設定される前記発信者通知用番号が通話相手先を示す電話番号の後に入力されることを特徴とするＶｏＩＰユニット。
【請求項４】
請求項２又は３に記載のＶｏＩＰユニットにおいて、変更して設定される前記発信者通知用番号と通話相手先を示す電話番号との間の区切り信号としてフッキングを用いること特徴とするＶｏＩＰユニット。
【請求項５】
請求項２又は３に記載のＶｏＩＰユニットにおいて、変更して設定される前記発信者通知用番号と通話相手先を示す電話番号との間の区切り信号として、符号‘＊’又は‘＃’ を用いること特徴とするＶｏＩＰユニット。
【請求項６】
請求項２乃至５のいずれかに記載のＶｏＩＰユニットにおいて、前記発信者番号変更手段により前記発信者通知用番号を任意の番号に変更して設定しない場合には、前記発信者通知用番号を入力することなく、通話相手先を示す電話番号のみが入力されることを特徴とするＶｏＩＰユニット。
【請求項７】
デジタル加入者回線を含むブロードバンド加入者回線を介してネットワークに接続されており、パケットベースの音声通話であるＶｏＩＰ通話呼を扱う通信端末を含む複数の通信端末を内部接続したＶｏＩＰユニットにおいて、ＶｏＩＰ通話用の発呼時に通話相手先に通知するための発信者通知用番号として任意の番号に変更して設定することができる１乃至複数の発信者番号変更候補を受け付けて、該発信者番号変更候補のそれぞれを指定して呼び出すための呼出番号と共に、発信者番号変更候補記憶手段に予め設定登録する発信者番号変更候補受付手段と、ＶｏＩＰ通話用の発呼時において入力された前記呼出番号によって指定された前記発信者番号変更候補を、前記発信者番号変更候補記憶手段から呼び出して、通話相手先に通知する発信者通知用番号として設定する発信者番号呼出変更手段とを具備したことを特徴とするＶｏＩＰユニット。
【請求項８】
請求項７に記載のＶｏＩＰユニットにおいて、前記発信者番号変更候補受付手段が、前記発信者番号変更候補記憶手段に予め設定登録する前記発信者番号変更候補として、通話相手先に対して前記発信者通知用番号を通知しない発信者番号非通知の旨を前記呼出番号と共に予め設定登録することができることを特徴とするＶｏＩＰユニット。
【請求項９】
請求項７又は８に記載のＶｏＩＰユニットにおいて、前記発信者番号変更候補受付手段が、前記発信者番号変更候補記憶手段に予め設定登録する前記発信者番号変更候補として当該ＶｏＩＰユニットに内部接続されたＶｏＩＰ通話用の通信端末の電話番号のみを前記呼出番号と共に予め設定登録することができることを特徴とするＶｏＩＰユニット。
【請求項１０】
請求項６乃至８のいずれかに記載のＶｏＩＰユニットにおいて、前記発信者番号呼出変更手段が、ＶｏＩＰ通話用の発呼時に入力された前記呼出番号によって指定された前記発信者番号変更候補を、前記発信者番号変更候補記憶手段から呼び出して、前記発信者通知用番号を任意の番号に変更して設定する場合、前記呼出番号が通話相手先を示す電話番号の前に入力されることを特徴とするＶｏＩＰユニット。
【請求項１１】
請求項６乃至８のいずれかに記載のＶｏＩＰユニットにおいて、前記発信者番号呼出変更手段が、ＶｏＩＰ通話用の発呼時に入力された前記呼出番号によって指定された前記発信者番号変更候補を、前記発信者番号変更候補記憶手段から呼び出して、前記発信者通知用番号を任意の番号に変更して設定する場合、前記呼出番号が通話相手先を示す電話番号の後に入力されることを特徴とするＶｏＩＰユニット。
【請求項１２】
請求項１０又は１１に記載のＶｏＩＰユニットにおいて、前記呼出番号と通話相手先を示す電話番号との間の区切り信号としてフッキングを用いること特徴とするＶｏＩＰユニット。
【請求項１３】
請求項１０又は１１に記載のＶｏＩＰユニットにおいて、前記発信者通知用番号と通話相手先を示す電話番号との間の区切り信号として、符号‘＊’又は‘＃’ を用いること特徴とするＶｏＩＰユニット。
【請求項１４】
請求項９乃至１３のいずれかに記載のＶｏＩＰユニットにおいて、前記発信者番号呼出変更手段により前記発信者通知用番号を任意の番号に変更して設定しない場合には、前記呼出番号を入力することなく、通話相手先を示す電話番号のみが入力されることを特徴とするＶｏＩＰユニット。
【請求項１５】
アナログ通話の制御を司るアナログ電話部とＶｏＩＰ通話の制御を司るＶｏＩＰ通話部とを備えたＶｏＩＰ通信端末機器において、前記ＶｏＩＰ通話部として請求項１乃至請求項１４のいずれかに記載のＶｏＩＰユニットを具備したことを特徴とするＶｏＩＰ通信端末機器。
【発明の詳細な説明】
【技術分野】
【０００１】
本発明は、ＶｏＩＰユニット及びＶｏＩＰ通信端末に関し、ＶｏＩＰユニットに内部接続された通信端末からのＶｏＩＰ通話用の発呼の際に、通話相手先に通知する発信者通知用番号を任意の番号に変更することが可能なＶｏＩＰユニット及び該ＶｏＩＰユニットを具備したＶｏＩＰ通信端末機器に関する。
【背景技術】
【０００２】
ブロードバンド加入者回線を介してネットワークに接続されたＶｏＩＰシステムに関しては、以下のような従来例がある。
特許文献１に示す特開２００２−１０１１９８号公報「インターネット電話システム」によれば、電話番号とＩＰアドレスとを管理するサーバと電話機が接続された通信端末とを備えたＶｏＩＰシステムに関する技術が記載されている。当該ＶｏＩＰシステムでは、前記サーバは電話番号と該電話番号に対応するＩＰアドレスとを関連付けて登録する機能を有している。また、前記通信端末はＩＰアドレスが割り当てられた時点で自動的に電話番号と該電話番号に対応するＩＰアドレスとを前記サーバに送信して登録を行なう機能と、前記電話機が通話相手先の電話番号を入力した際に、前記サーバから通話相手先の電話番号に対応するＩＰアドレスを入手して接続動作を行なう機能とを備えている。
【０００３】
かくのごとき構成とすることにより、ＶｏＩＰ通話を行なう際に、通話相手先のＩＰアドレスを確認したり、該ＩＰアドレスを手動で登録するといった作業を行なうことなく、通話相手先の電話番号を入力するのみで通話相手先とのＶｏＩＰ通話を行なうことが可能である。
【０００４】
また、特許文献２に示す特開２００２−７７５０９号公報「インターネットファクシミリ装置」によれば、インターネットを介して音声の代わりにファクシミリ画像の送受信が可能な親機と子機とを備え、親機と各子機とのそれぞれに１つ又は複数のインターネットアドレス及び／又はＥメールアドレスを指定することができるインターネットファクシミリ装置において、更に、アクセス可能な各アドレスと親機、各子機との組み合わせに対して、それぞれＩＤコードを割り当てて、該ＩＤコードにより、それぞれのアドレスに対応した送受信データを読み出して送信するという技術が記載されている。
【０００５】
【特許文献１】特開２００２−１０１１９８号公報
【特許文献２】特開２００２−７７５０９号公報
【発明の開示】
【発明が解決しようとする課題】
【０００６】
前述した特許文献１に記載のごとき装置に代表されるような従来のＶｏＩＰシステムにおいては、ＶｏＩＰ通話用の端末として、ＶｏＩＰアプリケーションが動作しているコンピュータを適用することができることにその特徴の一つがある。ここで、ＶｏＩＰ通話の際に、該コンピュータに割り当てられた電話番号即ちＶｏＩＰ番号を発信者通知用番号として通話相手先に対して一旦通知しておくと、以後、該発信者通知用番号を用いて、通知を受けた通話相手先からの着信が該コンピュータ宛に発生することが予想される。
【０００７】
しかし、該コンピュータの電源が入っていなかったり、ＶｏＩＰアプリケーションが起動されていなかったりするなど、ＶｏＩＰ通話が不可能な状態が発生し、一般に、ＶｏＩＰ通話が常時可能な状態に設定されていない。かくのごとくＶｏＩＰ通話が常時可能にならない通信端末の場合は、たとえＶｏＩＰ通話を行なう際であっても、当該通信端末のＶｏＩＰ番号を発信者通知用番号として通話相手先に対してそのまま通知する場合には、不便を生じる可能性があった。また、前記特許文献２に示した技術においても、全く同様の問題を有しており、予め指定している相手先からインターネットを介して送信されてくるファクシミリ画像の受信ができない場合が生じてしまう。
【０００８】
本発明は、そのような状況に鑑みてなされたものであり、ブロードバンド加入者回線を介してネットワークに接続されたＶｏＩＰユニットにＶｏＩＰ通話を扱う通信端末を内部接続して構成されるＶｏＩＰ通話システムにおいて、ＶｏＩＰ通話用の発呼時に、通話相手先に対して通知する発信者通知用番号を任意の番号に簡単な操作で変更して設定可能とすることを目的としているものであり、具体的には、以下のごとき動作を可能とすることを目的としている。
【０００９】
まず、第１に、ＶｏＩＰ通話が常には可能な状態ではない通信端末を用いて通話相手先とＶｏＩＰ通話を行なう場合であっても、該通話相手先から以降の着信が確実に可能な通信端末の電話番号に適宜変更して発信者通知用番号として該通話相手先に対して通知することを可能とすることを目的とする。
【００１０】
第２に、以降の着信が確実に可能な電話番号に変更して通話相手先に通知する発信者通知用番号の候補を予め設定登録しておくことにより、該候補の中から呼出番号を用いて適当な候補を選択して、選択した発信者通知用番号を、簡単に、かつ、安全に使用可能とすることを目的とする。
【００１１】
第３に、本発明に係るＶｏＩＰユニットをＶｏＩＰ通話が可能なＶｏＩＰ通信端末機器の内部に備え、使用者が設置する際の設置操作の簡略化や操作性の向上を目的とする。
【課題を解決するための手段】
【００１２】
本発明はこうした課題を解決するための手段を提供するもので、各発明は、以下の技術手段から構成されている。
【００１３】
第１の技術手段は、デジタル加入者回線を含むブロードバンド加入者回線を介してネットワークに接続されており、パケットベースの音声通話であるＶｏＩＰ通話呼を扱う通信端末を含む複数の通信端末を内部接続したＶｏＩＰユニットにおいて、ＶｏＩＰ通話用の発呼時に、通話相手先に通知する発信者通知用番号を任意の番号に変更して設定することができる発信者番号変更手段を具備したＶｏＩＰユニットとすることを特徴とする。
【００１４】
第２の技術手段は、前記第１の技術手段に記載のＶｏＩＰユニットにおいて、前記発信者番号変更手段が、ＶｏＩＰ通話用の発呼時に、前記発信者通知用番号を任意の番号に変更して設定する場合、変更して設定される前記発信者通知用番号が通話相手先を示す電話番号の前に入力されることを特徴とする。
【００１５】
第３の技術手段は、前記第１の技術手段に記載のＶｏＩＰユニットにおいて、前記発信者番号変更手段が、ＶｏＩＰ通話用の発呼時に、前記発信者通知用番号を任意の番号に変更して設定する場合、変更して設定される前記発信者通知用番号が通話相手先を示す電話番号の後に入力されることを特徴とする。
【００１６】
第４の技術手段は、前記第２又は第３の技術手段に記載のＶｏＩＰユニットにおいて、変更して設定される前記発信者通知用番号と通話相手先を示す電話番号との間の区切り信号としてフッキングを用いること特徴とする。
【００１７】
第５の技術手段は、前記第２又は第３の技術手段に記載のＶｏＩＰユニットにおいて、変更して設定される前記発信者通知用番号と通話相手先を示す電話番号との間の区切り信号として、符号‘＊’又は‘＃’ を用いること特徴とする。
【００１８】
第６の技術手段は、前記第２乃至第５の技術手段のいずれかに記載のＶｏＩＰユニットにおいて、前記発信者番号変更手段により前記発信者通知用番号を任意の番号に変更して設定しない場合には、前記発信者通知用番号を入力することなく、通話相手先を示す電話番号のみが入力されることを特徴とする。
【００１９】
第７の技術手段は、デジタル加入者回線を含むブロードバンド加入者回線を介してネットワークに接続されており、パケットベースの音声通話であるＶｏＩＰ通話呼を扱う通信端末を含む複数の通信端末を内部接続したＶｏＩＰユニットにおいて、ＶｏＩＰ通話用の発呼時に通話相手先に通知するための発信者通知用番号として任意の番号に変更して設定することができる１乃至複数の発信者番号変更候補を受け付けて、該発信者番号変更候補のそれぞれを指定して呼び出すための呼出番号と共に、発信者番号変更候補記憶手段に予め設定登録する発信者番号変更候補受付手段と、ＶｏＩＰ通話用の発呼時において入力された前記呼出番号によって指定された前記発信者番号変更候補を、前記発信者番号変更候補記憶手段から呼び出して、通話相手先に通知する発信者通知用番号として設定する発信者番号呼出変更手段とを具備したＶｏＩＰユニットとすることを特徴とする。
【００２０】
第８の技術手段は、前記第７の技術手段に記載のＶｏＩＰユニットにおいて、前記発信者番号変更候補受付手段が、前記発信者番号変更候補記憶手段に予め設定登録する前記発信者番号変更候補として、通話相手先に対して前記発信者通知用番号を通知しない発信者番号非通知の旨を前記呼出番号と共に予め設定登録することができることを特徴とする。
【００２１】
第９の技術手段は、前記第７又は第８の技術手段に記載のＶｏＩＰユニットにおいて、前記発信者番号変更候補受付手段が、前記発信者番号変更候補記憶手段に予め設定登録する前記発信者番号変更候補として当該ＶｏＩＰユニットに内部接続されたＶｏＩＰ通話用の通信端末の電話番号のみを前記呼出番号と共に予め設定登録することができることを特徴とする。
【００２２】
第１０の技術手段は、前記第６乃至第８の技術手段のいずれかに記載のＶｏＩＰユニットにおいて、前記発信者番号呼出変更手段が、ＶｏＩＰ通話用の発呼時に入力された前記呼出番号によって指定された前記発信者番号変更候補を、前記発信者番号変更候補記憶手段から呼び出して、前記発信者通知用番号を任意の番号に変更して設定する場合、前記呼出番号が通話相手先を示す電話番号の前に入力されることを特徴とする。
【００２３】
第１１の技術手段は、前記第６乃至第８の技術手段のいずれかに記載のＶｏＩＰユニットにおいて、前記発信者番号呼出変更手段が、ＶｏＩＰ通話用の発呼時に入力された前記呼出番号によって指定された前記発信者番号変更候補を、前記発信者番号変更候補記憶手段から呼び出して、前記発信者通知用番号を任意の番号に変更して設定する場合、前記呼出番号が通話相手先を示す電話番号の後に入力されることを特徴とする。
【００２４】
第１２の技術手段は、前記第１０又は第１１の技術手段に記載のＶｏＩＰユニットにおいて、前記呼出番号と通話相手先を示す電話番号との間の区切り信号としてフッキングを用いること特徴とする。
【００２５】
第１３の技術手段は、前記第１０又は第１１の技術手段に記載のＶｏＩＰユニットにおいて、前記発信者通知用番号と通話相手先を示す電話番号との間の区切り信号として、符号‘＊’又は‘＃’ を用いること特徴とする。
【００２６】
第１４の技術手段は、前記第９乃至第１３の技術手段のいずれかに記載のＶｏＩＰユニットにおいて、前記発信者番号呼出変更手段により前記発信者通知用番号を任意の番号に変更して設定しない場合には、前記呼出番号を入力することなく、通話相手先を示す電話番号のみが入力されることを特徴とする。
【００２７】
第１５の技術手段は、アナログ通話の制御を司るアナログ電話部とＶｏＩＰ通話の制御を司るＶｏＩＰ通話部とを備えたＶｏＩＰ通信端末機器において、前記ＶｏＩＰ通話部として前記第１乃至第１４の技術手段のいずれかに記載のＶｏＩＰユニットを具備したことを特徴とする。
【発明の効果】
【００２８】
以上に説明したような各技術手段を備えた本発明に係るＶｏＩＰユニット及びＶｏＩＰ通信端末機器によれば、以下のごとき効果が齎される。
即ち、ＶｏＩＰ通話が常には可能な状態にはない通信端末を用いて通話相手先とＶｏＩＰ通話を行なう場合であっても、該通話相手先からの以降の着信が発生した場合に確実に着信できるように、ＶｏＩＰ通話の発呼時に、通話相手先に通知する発信者通知用番号として、常時着信可能な通信端末の電話番号を示す任意の番号に変更設定して発呼を行なうことが可能である。
【００２９】
また、発信者通知用番号として変更設定するための変更候補を予め設定登録することにより、確実に着信可能な通信端末の電話番号に変更して発信者通知用番号を設定した発呼を行なう際に、予め設定登録されている変更候補の中から呼出番号により所望の電話番号を呼び出して用いることが可能であり、通話相手先に通知する発信者通知用番号を、簡単に、かつ、安全に設定することができる。
【００３０】
更に、本発明に係るＶｏＩＰユニットをアナログ通話とＶｏＩＰ通話との双方が可能なＶｏＩＰ通信端末機器の内部に備えることにより、操作性を向上させると共に、部品や基板の共用化を可能としてコスト低減を可能とするのみならず、ＶｏＩＰ手段を使用者が揃える際の配線作業を不要として設置の簡略化を図ることも可能である。
【発明を実施するための最良の形態】
【００３１】
本発明に係るＶｏＩＰユニット及び該ＶｏＩＰユニットを具備したＶｏＩＰ通信端末機器は、デジタル加入者回線を含むブロードバンド加入者回線を介してネットワークに接続されており、パケットベースの音声通話であるＶｏＩＰ通話呼を扱う通信端末を含む複数の通信端末を内部接続したＶｏＩＰユニット及び該ＶｏＩＰユニットを具備したＶｏＩＰ通信端末機器であり、ＶｏＩＰ通話用の発呼時に、通話相手先に通知する発信者通知用番号を任意の番号に変更して設定することができる発信者番号変更手段を具備して、ＶｏＩＰ通話に用いる通信端末の如何に関わらず、該通信端末から入力された任意の番号を、発信者通知用番号として通話相手先に通知することを可能とするものである。
【００３２】
また、本発明に係るＶｏＩＰユニット及び該ＶｏＩＰユニットを具備したＶｏＩＰ通信端末機器は、ＶｏＩＰ通話用の発呼時に通話相手先に通知するための発信者通知用番号として任意の番号に変更して設定することができる１乃至複数の発信者番号変更候補を受け付けて、該発信者番号変更候補のそれぞれを指定して呼び出すための呼出番号と共に、発信者番号変更候補記憶手段に予め設定登録する発信者番号変更候補受付手段と、ＶｏＩＰ通話用の発呼時において入力された呼出番号によって指定された発信者番号変更候補を、前記発信者番号変更候補記憶手段から呼び出して、通話相手先に通知する発信者通知用番号として設定する発信者番号呼出変更手段とを具備して、予め設定登録されている発信者番号変更候補の中から、ＶｏＩＰ通話に用いる通信端末の如何に関わらず、該通信端末から入力された呼出番号により指定された発信者番号変更候補を、発信者通知用番号として通話相手先に通知することを可能とするものである。
【００３３】
本発明に係るＶｏＩＰユニット及び該ＶｏＩＰユニットを具備したＶｏＩＰ通信端末機器の実施形態の一例について図面を参照しながら以下に説明する。
【００３４】
（第１の実施形態）
図１は、本発明に係るＶｏＩＰユニットの第１の実施形態における構成の一例を示すブロック構成図である。図１に示すＶｏＩＰユニット１００は、ネットワーク５０１からの公衆回線（局線）に用いるブロードバンド加入者回線の一例として、デジタル加入者回線の一つであるＡＤＳＬ回線９０４を用いている場合について示しており、ネットワーク５０１と接続されるＡＤＳＬ回線９０４には、回線交換ベースの電話呼である音声信号にパケットベースのデータ信号（ＶｏＩＰ通話信号をも含む）を重畳させることができる。
【００３５】
ＶｏＩＰユニット１００は、ネットワーク５０１との接続に使用されているＡＤＳＬ回線９０４との間で、音声ポート１５３を経由して電話機ポート１５４に内部接続された電話機２０１による回線交換ベースの通話を行なったり、データ通信ポート１５１を介してパケットベースのＶｏＩＰ通話を行なったりするターミナル通信機能を備えていると共に、例えばデータ通信ポート１５１を介してＬＡＮケーブル９０１に接続された（即ち、ＶｏＩＰユニット１００にＬＡＮケーブル９０１を介して内部接続された）コンピュータ３０１によるパケットベースのデータ送受信（ＶｏＩＰ通話用データも含む）を行なうことができる中継通信機能をも備えている。
【００３６】
即ち、図１に示すＶｏＩＰユニット１００は、ＡＤＳＬ回線９０４に接続されたスプリッタ１９２により音声信号とデータ信号（ＶｏＩＰ通話用信号を含む）とが分離され、分離された回線交換ベースの音声信号は、音声信号線９０３を介して接続された当該ＶｏＩＰユニット１００の音声ポート１５３との間で入出力され、一方、パケットベースのデータ信号やＶｏＩＰ通話用信号は、ＡＤＳＬモデム１９１により変復調されて、デジタル信号とされて、デジタル信号線９０２を介して接続された当該ＶｏＩＰユニット１００のデジタル通信ポート１５２との間で入出力される場合を示している。
【００３７】
ここで、図１に示すＶｏＩＰユニット１００は、当該ＶｏＩＰユニット１００全体の動作を制御する制御部１１０、制御部１１０が使用するＲＡＭ１１１とＲＯＭ１１２、ＶｏＩＰ通話時における音声信号とデジタル信号との変換処理を行なう音声−デジタル信号処理部１２０、該音声−デジタル信号処理部１２０が使用するＲＡＭ１２１、及び、電話機ポート１５４に接続された電話機２０１と音声−デジタル信号処理部１２０と音声信号線９０３との接続状態を切り替える切替部１３０により構成されている。更に、ＶｏＩＰユニット１００は、ＬＡＮケーブル９０１との接続を行なうデータ通信ポート１５１を備えており、ＬＡＮケーブル９０１に接続されているコンピュータ３０１との間でＶｏＩＰ通話データを含むデータ情報の送受信を行なうことが可能である。
【００３８】
ＶｏＩＰユニット１００全体の制御を行なう制御部１１０が使用するＲＯＭ１１２には、メインプログラムの他に、ＶｏＩＰユニット１００に内部接続された通信端末、例えば電話機２０１が発信したＶｏＩＰ発信呼の、通話相手先に通知する発信者通知用番号を任意の番号に変更して設定することができる発信者番号変更手段１１２ａが格納されている。また、制御部１１０が使用するＲＡＭ１１１は、制御部１１０の制御に関する各種のデータを保存するために使用される。
【００３９】
また、音声−デジタル信号処理部１２０は、ＶｏＩＰ通話時の音声信号とデジタル信号との変換処理を行なうものであり、例えば、音声信号線９０３を経由した回線交換ベースの音声信号を、ＶｏＩＰユニット１００にＬＡＮケーブル９０１を介して内部接続された通信端末であるコンピュータ３０１との間でＶｏＩＰ通話として扱う場合や、あるいは、デジタル信号線９０２を経由したパケットベースのＶｏＩＰ通話信号を、ＶｏＩＰユニット１００の電話機ポート１５４を介して内部接続された電話機２０１との間で音声信号として扱う場合に、回線交換ベースの音声信号とパケットベースのＶｏＩＰ通話信号即ちデジタル信号との変換処理を行なう。音声−デジタル信号処理部１２０が使用するＲＡＭ１２１は、変換処理のデータを一時保存するために使用される。
【００４０】
また、切替部１３０は、音声信号による通話時とＶｏＩＰによる通話時とに応じて、電話機２０１と音声−デジタル信号処理部１２０と音声信号線９０３との接続状態を切り替えるものである。
【００４１】
ここで、ＶｏＩＰユニット１００の電話機ポート１５４に内部接続された電話機２０１には、ＩＰ電話サービス業者によって、ＶｏＩＰ通話用の電話番号即ちＶｏＩＰ番号として例えば‘１１１１−１１１１’が割り当てられて、ＶｏＩＰユニット１００に登録されており、同様に、データ通信ポート１５１にＬＡＮケーブル９０１を介して内部接続されたコンピュータ３０１には、ＶｏＩＰ通話用の電話番号即ちＶｏＩＰ番号として例えば‘１１１１−１１１２’が割り当てられて、ＶｏＩＰユニット１００に登録されている。
【００４２】
また、ネットワーク５０１には、ネットワーク５０１を介してＶｏＩＰユニット１００に内部接続された電話機２０１との間でＶｏＩＰ通話することができる通信端末として電話機２０２が接続されており、ＶｏＩＰ通話用の電話番号即ちＶｏＩＰ番号として‘９９９９−１１１１’が割り当てられているものとする。
【００４３】
次に、ＶｏＩＰユニット１００に内部接続されたコンピュータ３０１（ＶｏＩＰ番号‘１１１１−１１１２’）を使用してネットワーク５０１に接続された電話機２０２（ＶｏＩＰ番号‘９９９９−１１１１’）との間でＶｏＩＰ通話を行なう際に、通話相手先の電話機２０２に対して通知する発信者通知用番号を、本来のＶｏＩＰ番号‘１１１１−１１１２’からＶｏＩＰユニット１００に内部接続された電話機２０１のＶｏＩＰ番号‘１１１１−１１１１’に変更して発呼する動作について図２に示す処理フローチャートを用いて説明する。
【００４４】
ここに、図２は、本発明に係る第１の実施形態におけるＶｏＩＰユニット１００の発信者通知用番号の変更動作の一例を説明する処理フローチャートであり、着信接続を常時可能な状態に設定することができない通信端末から発呼する場合に、通話相手先に通知する発信者通知用番号として、当該通信端末のＶｏＩＰ番号の代わりに、着信接続が常時可能な通信端末のＶｏＩＰ番号を設定して発呼する動作について説明している。
【００４５】
ここで、ＶｏＩＰユニット１００では、フッキングを、通話相手先へ通知する発信者通知用番号と通話相手先のＶｏＩＰ番号との区切り信号として扱い、フッキングを検出する前に入力された番号を通話相手先に通知する発信者通知用番号、フッキングを検出した後に入力された番号を通話相手先のＶｏＩＰ番号として扱うものとする。かくのごとく、発信者通知用番号として、任意の番号を入力可能とすることにより、通話相手先に通知する発信者通知用番号を、本来のＶｏＩＰ番号から常時着信接続が可能な任意の電話番号に変更して設定することが可能となる。
【００４６】
まず、ＶｏＩＰユニット１００に内部接続されたコンピュータ３０１は、通話相手先である電話機２０２に通知する発信者通知用番号を電話機２０１のＶｏＩＰ番号‘１１１１−１１１１’に変更して発呼するために、発信者通知用番号として電話機２０１のＶｏＩＰ番号をダイヤルし、続けて、フッキングを、更にその後に通話相手先である電話機２０２のＶｏＩＰ番号‘９９９９−１１１１’をダイヤルする。即ち、コンピュータ３０１は‘１１１１１１１１（フッキング）９９９９１１１１’とダイヤルする。
【００４７】
図２の処理フローチャートにおいてダイヤル入力が開始されると、まず、ＶｏＩＰユニット１００は、フッキングの検出前にダイヤルされた番号‘１１１１１１１１’を一時記憶番号１として音声−デジタル信号処理部１２０に接続されたＲＡＭ１２１に順次記憶する（ステップＳ１０１）。
【００４８】
次に、ＶｏＩＰユニット１００が、コンピュータ３０１からのフッキング信号の受信を検出すると（ステップＳ１０２のＹＥＳ）、フッキング信号の後にダイヤルされた番号‘９９９９１１１１’を一時記憶番号２としてＲＡＭ１２１に順次記憶する（ステップＳ１０３）。
【００４９】
次に、ＶｏＩＰユニット１００の制御部１１０は、ＲＯＭ１１２に格納された発信者番号変更手段１１２ａを起動することにより、ＲＡＭ１２１に記憶された一時記憶番号１（‘１１１１１１１１’）と、一時記憶番号２（‘９９９９１１１１’）とを読み出し、通話相手先に通知する発信者通知用番号として一時記憶番号１の‘１１１１１１１１’を設定し、通話相手先のＶｏＩＰ番号として一時記憶番号２の‘９９９９１１１１’を設定して、発呼処理を開始する（ステップＳ１０４）。
【００５０】
一方、ステップＳ１０２においてコンピュータ３０１からのダイヤルとしてフッキングを検出しなかった場合は（ステップＳ１０２のＮＯ）、制御部１１０は、ＲＡＭ１２１から一時記憶番号１のみを読み出し（ステップＳ１０５）、通話相手先に通知する発信者通知用番号として、発呼したコンピュータ３０１のＶｏＩＰ番号‘１１１１１１１２’を設定し、読み出した一時記憶番号１を通話相手先のＶｏＩＰ番号として設定して発呼処理を開始する。即ち、フッキングをダイヤルしない場合には、コンピュータ３０１は、通常のダイヤル入力と同様に、直ちに、通話相手先のＶｏＩＰ番号‘９９９９１１１１’をダイヤルする。
【００５１】
以上の動作により、ＶｏＩＰユニット１００は、フッキングを検出した場合には、ＶｏＩＰ通話の発呼時に、通話相手先に通知する発信者通知用番号として、実際に使用している通信端末のＶｏＩＰ番号（電話番号）の如何に関係なく、フッキング前に任意の番号をダイヤル入力することにより指定された番号に変更設定して発呼し、フッキングを検出しなかった場合には、発信者通知用番号を変更することなく、実際に使用している通信端末のＶｏＩＰ番号（電話番号）を設定して発呼する。
【００５２】
即ち、前述した例においては、コンピュータ３０１からの発呼であっても、通話相手先の電話機２０２へ通知される発信者通知用番号は、フッキング前にダイヤルされた電話機２０１のＶｏＩＰ番号‘１１１１−１１１１’に変更されて発呼されているため、電話機２０２は、発信者のＶｏＩＰ番号としては、実際に発呼しているコンピュータ３０１ではなく電話機２０１のＶｏＩＰ番号‘１１１１−１１１１’が保管されることになる。而して、電話機２０２から当該ＶｏＩＰユニット１００へ着信することが予想されるとしても、着信先としては、コンピュータ３０１に対してではなく、発信者通知用番号として通知しておいた電話機２０１に対して着信することになる。
【００５３】
従って、ＶｏＩＰユニット１００においては、たとえ、コンピュータ３０１から発呼することがあったとしても、かくのごとき発呼に対して新たに発生する可能性がある着信に備えて、コンピュータ３０１を常時動作させ、かつ、該コンピュータ３０１上でＶｏＩＰアプリケーションを常時起動して、ＶｏＩＰ通話が常に可能な状態を保持していなくとも、発信者通知用番号として通知していた電話機２０１にてＶｏＩＰ通話の着信を逃すことなく受信して、通話相手先との通話が可能となる。
【００５４】
なお、前述した実施例においては、フッキング前にダイヤル入力した番号を、通話相手先に通知する発信者通知用番号とし、フッキング後にダイヤル入力した番号を、通話相手先を示すＶｏＩＰ番号としている例を示したが、本発明はかかる場合に限るものではなく、ダイヤル入力順序を逆にして、フッキング前にダイヤル入力した番号を、通話相手先を示すＶｏＩＰ番号とし、フッキング後にダイヤル入力した番号を、通話相手先に通知する発信者通知用番号としても良い。
【００５５】
また、着信が可能な状態に常に設定されている通信端末のように、発信者通知用番号を変更する必要が無い場合には、フッキングを用いることなく通常のダイヤル方法でダイヤルすることにより、実際に使用している通信端末のＶｏＩＰ番号を発信者通知用番号として発呼することが可能である。
【００５６】
また、前述の実施例においては、通話相手先へ通知する発信者通知用番号と通話相手先のＶｏＩＰ番号との区切り信号としてフッキングを使用した場合を示したが、コンピュータ３０１上で動作する実際のＶｏＩＰアプリケーションには、フッキング動作をサポートしていないアプリケーションも多数存在している。かかる場合に備えて、区切り信号としてフッキングを用いる代わりに、符号‘＃’や‘＊’のような特殊符号を使用することにより、コンピュータ３０１上のＶｏＩＰアプリケーションから発呼する場合においても、発信者通知用番号を指定して発呼することも可能であり、かかるいずれかの区切り信号を用いて、必要に応じて発信者通知用番号を変更することが可能である。
【００５７】
（第２の実施形態）
次に、本発明に係るＶｏＩＰユニットの第２の実施形態として、通話相手先に通知する発信者通知用番号と該発信者通知用番号を呼び出すための呼出番号とをＶｏＩＰユニットに予め登録しておき、ＶｏＩＰ通話の開始時に、実際の通信端末の如何に関わらず任意の呼出番号を入力することにより、入力された該呼出番号を用いて、通話相手先に通知する発信者通知用番号を登録先から呼び出して設定して発呼することを可能にしている実施例について説明する。
【００５８】
図３は、本発明に係るＶｏＩＰユニットの第２の実施形態における構成の一例を示すブロック構成図である。図３に示すＶｏＩＰユニット１００Ａは、図１に示すＶｏＩＰユニット１００と全く同じ回路部については、図１と同一の符号を付して示しており、制御部１１０Ａ、ＲＡＭ１１１Ａ、ＲＯＭ１１２Ａについては、図１と異なる構成とされている。
【００５９】
即ち、ＲＯＭ１１２Ａには、制御部１１０Ａが使用するメインプログラムの他に、制御部１１０Ａが通話相手先に通知する発信者通知用番号として任意の番号に変更して設定することができる１乃至複数の発信者番号変更候補を受け付けて、予め設定登録する発信者番号変更候補受付手段１１２Ａａと、ＶｏＩＰ通話に用いる通信端末の如何に関わらず、ＶｏＩＰ通話用の発呼時において入力された呼出番号によって指定された発信者番号変更候補を呼び出して、通話相手先に通知する発信者通知用番号として設定する発信者番号呼出変更手段１１２Ａｂとが格納されている。
【００６０】
また、制御部１１０Ａが使用するＲＡＭ１１１Ａは、制御部１１０Ａの制御に関する各種のデータを保存するために使用される他、発信者番号変更候補受付手段１１２Ａａによって受け付けられた１乃至複数の発信者番号変更候補を、該発信者番号変更候補のそれぞれを指定して呼び出すための呼出番号と共に予め設定登録する記憶領域である発信者番号変更候補記憶手段１１１Ａａとしても用いられる。
【００６１】
次に、ＶｏＩＰユニット１００Ａに内部接続されたコンピュータ３０１を使用して、ＶｏＩＰ通話時に通話相手先に通知する発信者通知用番号の変更候補に関する設定をＶｏＩＰユニット１００Ａの発信者番号変更候補受付手段１１２Ａａによって予め設定登録する動作について説明する。
【００６２】
まず、コンピュータ３０１から、コンピュータ３０１上で動作する例えばＷＥＢブラウザを用いて、ＬＡＮケーブル９０１を介してＶｏＩＰユニット１００Ａに対してアクセスすることにより、ＶｏＩＰユニット１００Ａの制御部１１０Ａが起動されて、ＶｏＩＰユニット１００ＡのＲＯＭ１１２Ａに格納されている発信者番号変更候補受付手段１１２Ａａが制御部１１０Ａによって逐次読み出されて実行される。
【００６３】
発信者番号変更候補受付手段１１２Ａａの実行結果により、ＬＡＮケーブル９０１を介して起動元のコンピュータ３０１のモニタに発信者通知用番号の変更候補を設定登録するための設定登録用ＷＥＢ画面が表示される。コンピュータ３０１のモニタに画面表示された設定登録用ＷＥＢ画面に従って発信者通知用番号の変更候補と該変更候補を呼び出すための呼出番号とが入力されると、コンピュータ３０１のＷＥＢブラウザに入力された発信者番号の変更候補と共に該変更候補を呼び出すための呼出番号とが、コンピュータ３０１のＷＥＢブラウザからＬＡＮケーブル９０１を介して制御部１１０Ａに対して転送される。
【００６４】
制御部１１０Ａは、発信者番号変更候補受付手段１１２Ａａの動作に基づいて、転送されてきた発信者番号変更候補と呼出番号とを、ＲＡＭ１１１Ａの発信者番号変更候補記憶手段１１１Ａａに設定登録し、設定動作を終了する。かくのごとき、発信者番号変更候補受付手段１１２ＡａによるＲＡＭ１１１Ａの発信者番号変更候補記憶手段１１１Ａａへの発信者番号変更候補と呼出番号との設定登録は、実際のＶｏＩＰ通話に先立って予め実施される。
【００６５】
次に、ＶｏＩＰユニット１００Ａに内部接続されたコンピュータ３０１（ＶｏＩＰ番号‘１１１１−１１１２’）を使用してネットワーク５０１に接続された電話機２０２（ＶｏＩＰ番号‘９９９９−１１１１’）に対してＶｏＩＰ通話を行なう際に、ＶｏＩＰユニット１００Ａの発信者番号変更候補記憶手段１１１Ａａに予め設定登録されている呼出番号を用いて、発信者番号変更候補を呼び出して、呼び出した発信者番号変更候補を通話相手先に通知するための発信者通知用番号として設定して発呼する動作について説明する。
【００６６】
ＲＡＭ１１１Ａの発信者番号変更候補記憶手段１１１Ａａには、前述したように、発信者番号変更候補受付手段１１２Ａａの動作により、例えば、図４に示すように、呼出番号と、該呼出番号に対応した発信者番号変更候補とが設定登録されている。ここに、図４は、本発明に係る第２の実施形態におけるＶｏＩＰユニット１００Ａの発信者番号変更候補記憶手段１１１Ａａに予め設定登録されている発信者番号変更候補の一例を示すメモリ構成図である。図４に示す発信者番号変更候補の設定登録例においては、呼出番号「１」に対応する発信者番号変更候補として電話機２０１のＶｏＩＰ番号‘１１１１−１１１１’が、呼出番号「２」に対応する発信者番号変更候補としてコンピュータ３０１のＶｏＩＰ番号‘１１１１−１１１２’が、また、呼出番号「３」に対応する発信者番号変更候補として他の通信端末のＶｏＩＰ番号‘１１１１−１１１３’が予め設定登録されている。
【００６７】
以下に、コンピュータ３０１を用いて、呼出番号「１」に対応付けされた電話機２０１のＶｏＩＰ番号である発信者番号変更候補‘１１１１−１１１１’を呼び出すことにより、通話相手先に通知する発信者通知用番号を変更して、実際の発呼元であるコンピュータ３０１のＶｏＩＰ番号ではなく、電話機２０１のＶｏＩＰ番号を設定して、電話機２０２に対して発呼する動作について、図５に示す処理フローチャートを用いて説明する。ここに、図５は、本発明に係る第２の実施形態におけるＶｏＩＰユニット１００Ａの発信者通知用番号の変更動作の一例を説明する処理フローチャートである。
【００６８】
ここで、ＶｏＩＰユニット１００Ａは、コンピュータ３０１からＶｏＩＰ通話の開始に当たって入力されてくる番号について、符号‘＊’を通話相手先のＶｏＩＰ番号と呼出番号との区切り符号として扱い、符号‘＊’を検出する前に入力された番号を通話相手先のＶｏＩＰ番号、符号‘＊’を検出した後に入力された番号を呼出番号として扱うものとする。即ち、本実施例においては、通話相手先の電話機２０２（ＶｏＩＰ番号‘９９９９−１１１１’）に対して通知する発信者通知用番号として電話機２０１のＶｏＩＰ番号‘１１１１−１１１１’を呼び出すための呼出番号「１」を指定しており、コンピュータ３０１から‘９９９９１１１１＊１’と入力されてくる。
【００６９】
言い換えると、ＶｏＩＰユニット１００Ａに内部接続されたコンピュータ３０１は、呼出番号「１」を入力することにより、発信者番号変更候補受付手段１１２ＡａによってＲＡＭ１１１Ａの発信者番号変更候補記憶手段１１１Ａａに呼出番号「１」と共に予め設定登録しておいた発信者番号変更候補‘１１１１−１１１１’を呼び出して、コンピュータ３０１のＶｏＩＰ番号‘１１１１−１１１２’から変更して、電話機２０１のＶｏＩＰ番号‘１１１１−１１１１’を、電話機２０２へ通知する発信者通知用番号に設定して、電話機２０２へ発呼することを指示する。従って、コンピュータ３０１においては、通話相手先である電話機２０２のＶｏＩＰ番号‘９９９９１１１１’をダイヤルした後、続けて‘＊’を、更にその後に呼出番号「１」をダイヤルする。
【００７０】
図５の処理フローチャートにおいてコンピュータ３０１からのダイヤル入力が開始されると、まず、ＶｏＩＰユニット１００Ａは、‘＊’の検出前にダイヤルされた番号‘９９９９１１１１’を一時記憶番号１として音声−デジタル信号処理部１２０に接続されたＲＡＭ１２１に順次記憶する（ステップＳ２０１）。
【００７１】
次に、ＶｏＩＰユニット１００Ａが、コンピュータ３０１から符号‘＊’の受信を検出すると（ステップＳ２０２のＹＥＳ）、検出した‘＊’の後にダイヤルされた番号「１」を一時記憶番号２としてＲＡＭ１２１に記憶する（ステップＳ２０３）。
【００７２】
次に、ＶｏＩＰユニット１００Ａの制御部１１０Ａは、発信者番号として、ＲＡＭ１２１に記憶された一時記憶番号１（‘９９９９１１１１’）と、一時記憶番号２（「１」）とを読み出し、通話相手先のＶｏＩＰ番号として一時記憶番号１の‘９９９９１１１１’を設定し、通話相手先に通知する発信者通知用番号を呼び出すための呼出番号を一時記憶番号２の「１」とする（ステップＳ２０４）。
【００７３】
制御部１１０Ａは、ＲＯＭ１１２Ａに格納された発信者番号呼出変更手段１１２Ａｂを起動することにより、ＲＡＭ１１１Ａの発信者番号変更候補記憶手段１１１Ａａから呼出番号「１」に対応付けられて予め設定登録されている発信者番号変更候補‘１１１１−１１１１’を取得し、取得した発信者番号変更候補‘１１１１−１１１１’を、通話相手先‘９９９９１１１１’に通知する発信者通知用番号として設定して発呼処理を開始する（ステップＳ２０５）。
【００７４】
一方、ステップＳ２０２においてコンピュータ３０１からのダイヤルとして符号‘＊’を検出しなかった場合は（ステップＳ２０２のＮＯ）、制御部１１０Ａは、一時記憶番号１のみを読み出して、読み出した一時記憶番号１（‘９９９９１１１１’）を通話相手先のＶｏＩＰ番号として設定し、通話相手先に通知する発信者通知用番号として、発呼したコンピュータ３０１のＶｏＩＰ番号‘１１１１１１１２’を設定して発呼処理を開始する（ステップＳ２０６）。
【００７５】
以上の動作により、ＶｏＩＰユニット１００Ａは、符号‘＊’を検出した場合には、ＶｏＩＰ通話の発呼時に、通話相手先に通知する発信者通知用番号として、実際に使用している通信端末のＶｏＩＰ番号の如何に関係なく、符号‘＊’後にダイヤル入力することにより指定された呼出番号に対応付けられて予め設定登録されている発信者番号変更候補に変更設定して発呼し、符号‘＊’を検出しなかった場合には、発信者通知用番号を変更することなく、実際に使用している通信端末のＶｏＩＰ番号を設定して発呼する。
【００７６】
即ち、前述した例においては、コンピュータ３０１からの発呼であっても、通話相手先の電話機２０２へ通知される発信者通知用番号は、ＶｏＩＰユニット１００Ａの発信者番号変更候補記憶手段１１１Ａａに予め設定登録しておいた発信者番号変更候補の中から、ダイヤル入力された呼出番号「１」に対応付けられたＶｏＩＰ番号‘１１１１−１１１１’に変更されて発呼されているため、電話機２０２は、発信者のＶｏＩＰ番号としては、実際に発呼しているコンピュータ３０１ではなく電話機２０１のＶｏＩＰ番号‘１１１１−１１１１’が保管されることになる。而して、電話機２０２から当該ＶｏＩＰユニット１００Ａへ着信することが予想されるとしても、着信先としては、コンピュータ３０１に対してではなく、発信者通知用番号として通知しておいた電話機２０１に対して着信することになる。
【００７７】
従って、ＶｏＩＰユニット１００Ａにおいては、前述した第１の実施形態と同様に、たとえ、コンピュータ３０１から発呼することがあったとしても、かくのごとき発呼に対して新たに発生する可能性がある着信に備えて、コンピュータ３０１を常時動作させ、かつ、該コンピュータ３０１上でＶｏＩＰアプリケーションを常時起動して、ＶｏＩＰ通話が常に可能な状態を保持していなくとも、発信者通知用番号として通知していた電話機２０１にてＶｏＩＰ通話の着信を逃すことなく受信して、通話相手先との通話が可能となる。
【００７８】
更には、ＶｏＩＰユニット１００Ａから発呼する際に通話相手先に通知する発信者通知用番号を変更するための変更候補として多用される発信者通知用番号を、発信者番号変更候補として対応する呼出番号と共に発信者番号変更候補記憶手段１１１Ａａに予め設定登録しておくことにより、発信者通知用番号の指定を間違えることなく、かつ、発信者通知用番号を簡単に変更することが可能となる。
【００７９】
なお、前述した実施例においては、符号‘＊’の前に入力した番号を、通話相手先を示すＶｏＩＰ番号とし、符号‘＊’の後に入力した番号を、通話相手先に通知する発信者通知用番号となる発信者番号変更候補を呼び出すための呼出番号としている例を示したが、本発明はかかる場合に限るものではなく、入力順序を逆にして、符号‘＊’前に入力した番号を、通話相手先に通知する発信者通知用番号となる発信者番号変更候補を呼び出すための呼出番号とし、符号‘＊’後に入力した番号を、通話相手先を示すＶｏＩＰ番号としても良い。
【００８０】
また、着信が可能な状態に常に設定されている通信端末のように、発信者通知用番号を変更する必要が無い場合には、符号‘＊’を用いることなく通常のダイヤル方法でダイヤルすることにより、実際に使用している通信端末のＶｏＩＰ番号を発信者通知用番号として発呼することが可能である。
【００８１】
また、前述の実施例においては、通話相手先のＶｏＩＰ番号と呼出番号との区切り信号として符号‘＊’を使用した場合を示したが、区切り信号として符号‘＊’の代わりに、符号‘＃’を使用したり、あるいは、フッキングを使用したりすることも可能であり、かかるいずれかの区切り信号を用いて、必要に応じて発信者通知用番号を変更することが可能である。
【００８２】
更には、発信者番号変更候補受付手段１１２Ａａが、発信者番号変更候補記憶手段１１１Ａａに予め設定登録する発信者番号変更候補として、通話相手先には発信者通知用番号を通知しない発信者番号非通知の旨を呼出番号と共に設定することも可能であり、通話相手先に発信者側のＶｏＩＰ番号を通知せずに発呼することが可能である。
【００８３】
また、発信者番号変更候補受付手段１１２Ａａが、発信者番号変更候補記憶手段１１１Ａａに予め設定登録する発信者番号変更候補としては、当該ＶｏＩＰユニット１００Ａに内部接続されたＶｏＩＰ通話用の通信端末のＶｏＩＰ番号（電話番号）のみに制限することによって、発信者番号変更候補受付手段１１２Ａａによって発信者番号変更候補を予め設定登録される際に、登録されるＶｏＩＰ番号の指定間違いの発生を防止し、また、意図的に存在しないＶｏＩＰ番号を発信者番号変更候補として登録して、いわゆる「いたずら電話」として使用されることを未然に防ぐことも可能である。
【００８４】
（第３の実施形態）
次に、本発明に係るＶｏＩＰユニットの第３の実施形態として、アナログ通話の制御を司るアナログ電話部とＶｏＩＰ通話の制御を司るＶｏＩＰ通話部とを備えたＶｏＩＰ通信端末機器において、ＶｏＩＰ通話部として図１又は図３に示したようなＶｏＩＰユニット１００又は１００Ａを内部に備えたＶｏＩＰ通信端末機器について説明する。ここに、図６は、本発明に係るＶｏＩＰ通信端末機器の構成の一例を示すブロック構成図であり、図３に示したＶｏＩＰユニット１００Ａを内蔵している場合の構成例を示している。
図６に示すＶｏＩＰ通信端末機器４００は、既存の電話機と同様の機能を備えた電話部４００Ａと図３に示すＶｏＩＰユニット１００Ａとにより構成されていて、電話部４００Ａはアンテナ４４１により複数の子機４５１，４５２との間で無線通信が可能な親機を構成する場合を示している。
【００８５】
電話部４００Ａは、当該電話部４００Ａの全体の動作を制御する電話制御部４１０、電話制御部４１０が使用するＲＡＭ４１１とＲＯＭ４１２、通話時において音声入出力に関する処理を行なう音声処理部４２０、ＶｏＩＰユニット１００Ａの切替部１３０との間で音声信号の送受信を行なう回線制御部４３０、及び、アンテナ４４１を介した子機４５１，４５２との間の無線通信に関する処理を行なう無線制御部４４０により構成されている例を示しており、既存の電話機と同等の機能を備えている。
【００８６】
ここで、ＶｏＩＰ通信端末機器４００の電話部４００Ａは、前述のごとく、既存の電話機における親機に相当し、ＩＰ電話サービス業者によって、ＶｏＩＰ通話用の電話番号即ちＶｏＩＰ番号として例えば‘１１１１−１１１１’が割り当てられ、該電話番号（ＶｏＩＰ番号）‘１１１１−１１１１’は、ＶｏＩＰユニット１００Ａの発信者番号変更候補記憶手段１１１Ａａに呼出番号「１」と共に発信者番号変更候補として予め設定登録されており、同様に、子機４５１、４５２は、既存の電話機における子機に相当し、電話部４００Ａと同様に、ＩＰ電話サービス業者によって、ＶｏＩＰ通話用の電話番号即ちＶｏＩＰ番号として、それぞれ、例えば‘１１１１−９００１’、‘１１１１−９００２’が割り当てられ、割り当てられた電話番号（ＶｏＩＰ番号）‘１１１１−９００１’、‘１１１１−９００２’は、ＶｏＩＰユニット１００Ａの発信者番号変更候補記憶手段１１１Ａａにそれぞれ呼出番号「３」、「４」と共に発信者番号変更候補として予め設定登録されている。
【００８７】
更に、ＶｏＩＰユニット部１００Ａのデータ通信ポート１５１にＬＡＮケーブル９０１を介して内部接続されたコンピュータ３０１には、ＶｏＩＰ通話用の電話番号即ちＶｏＩＰ番号として例えば‘１１１１−１１１２’が割り当てられ、該電話番号（ＶｏＩＰ番号）‘１１１１−１１１２’は、ＶｏＩＰユニット１００Ａの発信者番号変更候補記憶手段１１１Ａａに呼出番号「２」と共に発信者番号変更候補として予め設定登録されている。
【００８８】
次に、子機４５２（ＶｏＩＰ番号‘１１１１−９００２’）を使用してネットワーク５０１に接続された電話機２０２（ＶｏＩＰ番号‘９９９９−１１１１’）に対してＶｏＩＰ通話を行なう際に、図７に示すような発信者番号変更候補記憶手段１１１Ａａの登録内容を用いて、電話機２０２に対して通知する発信者通知用番号を本来のＶｏＩＰ番号‘１１１１−９００２’から子機４５１のＶｏＩＰ番号‘１１１１−９００１’に変更設定して発呼する動作について説明する。ここに、図７は、本発明に係るＶｏＩＰ通信端末機器４００の発信者番号変更候補記憶手段１１１Ａａに予め設定登録されている発信者番号変更候補の一例を示すメモリ構成図である。
【００８９】
即ち、図７に示す発信者番号変更候補の設定登録例においては、呼出番号「１」に対応する発信者番号変更候補として電話部４００ＡのＶｏＩＰ番号‘１１１１−１１１１’が、呼出番号「２」に対応する発信者番号変更候補としてコンピュータ３０１のＶｏＩＰ番号‘１１１１−１１１２’が、また、呼出番号「３」に対応する発信者番号変更候補として子機４５１のＶｏＩＰ番号‘１１１１−９００１’が、呼出番号「４」に対応する発信者番号変更候補として子機４５２のＶｏＩＰ番号‘１１１１−９００２’が予め設定登録されている。更に、呼出番号「０」として通話相手先に発信者通知用番号を通知しない発信者番号非通知として発呼する場合が登録されている。
【００９０】
また、本実施例におけるＶｏＩＰユニット１００Ａは、第２の実施形態の説明と全く同様に、ＶｏＩＰ通話の開始に当たって入力されてくる番号について、符号‘＊’を通話相手先のＶｏＩＰ番号と呼出番号との区切り符号として扱い、符号‘＊’を検出する前に入力された番号を通話相手先のＶｏＩＰ番号、符号‘＊’を検出した後に入力された番号を呼出番号として扱うものとする。即ち、子機４５２が通話相手先の電話機２０２（ＶｏＩＰ番号‘９９９９−１１１１’）に対して通知する発信者通知用番号として、本来の子機４５２のＶｏＩＰ番号‘１１１１−９００２’の代わりに、子機４５１のＶｏＩＰ番号‘１１１１−９００１’を設定して発呼する本実施例の場合、発信者番号変更候補記憶手段１１１Ａａから発信者番号変更候補を呼び出すための呼出番号として「３」を指定して、子機４５２から ‘９９９９１１１１＊３’と入力されてくる。
【００９１】
言い換えると、子機４５２は、発信者通知用番号を子機４５１に変更して電話機２０２に発呼するために、発信者番号変更候補記憶手段１１１Ａａに発信者番号変更候補として呼出番号「３」と共に予め設定登録されている子機４５１に関するＶｏＩＰ番号‘１１１１−９００１’を呼び出すように、通話相手先である電話機２０２のＶｏＩＰ番号‘９９９９１１１１’の後に続けて‘＊’を、更にその後に呼出番号「３」をダイヤルする。
【００９２】
ここで、子機４５２は、無線通信により、親機を構成している電話部４００Ａのアンテナ４４１と通信を行ない、子機４５２においてダイヤルされた番号‘９９９９１１１１＊３’が無線制御部４４０、電話制御部４１０を介して回線制御部４３０に入力される。回線制御部４３０が、ＶｏＩＰユニット１００Ａの切替部１３０にダイヤルされた番号‘９９９９１１１１＊３’を送信すると、ＶｏＩＰユニット１００Ａは第２の実施形態において説明したように、図５に示した処理フローチャートの動作例と同様の処理を行なう。
【００９３】
以上の動作により、ＶｏＩＰ通信端末機器４００は、それぞれ個別にＶｏＩＰ通話用の電話番号（ＶｏＩＰ番号）が割り当てられた電話部４００Ａ、子機４５１、４５２、及び、コンピュータ３０１を個別の通信端末として扱い、ＶｏＩＰ通話時に、簡単な操作で、通話相手先に通知する発信者通知用番号を、呼出番号として指定した発信者番号変更候補に変更して発呼することが可能となる。即ち、前述した本実施例においては、子機４５２からの発呼であっても、通話相手先である電話機２０２に対して通知される発信者通知用番号としては、子機４５１のＶｏＩＰ番号‘１１１１−９００１’に変更されて発呼される。
【００９４】
従って、例えば、子機４５１と子機４５２とが別々の部屋に設置されており、通話しようとしている通話相手先の電話機２０２には、子機４５１のＶｏＩＰ番号のみが予め知らされていた場合で、かつ、手元には子機４５２のみがあったような場合であっても、子機４５２を使用して発信者通知用番号を子機４５１に変更して発呼することにより、通話相手先において、着信拒否される可能性や、あるいは、発信者が異なるかも知れないという不安感を持たせることもなく、発呼接続を行なうことが可能となる。
【００９５】
また、ＶｏＩＰユニット１００Ａと電話部４００Ａとの一体化を図ったＶｏＩＰ通信端末機器４００においては、操作性の向上が可能であると共に、電話部４００ＡとＶｏＩＰユニット部１００Ａとのそれぞれで使用される部品や基板の共通化を図ることも可能となり、コスト低減につながり、また、使用者にとって、従来、面倒で煩雑だった電話機やＶｏＩＰアダプタなどの機器同士の配線作業を減少させることも可能となる。
【図面の簡単な説明】
【００９６】
【図１】本発明に係るＶｏＩＰユニットの第１の実施形態における構成の一例を示すブロック構成図である。
【図２】本発明に係るＶｏＩＰユニットの第１の実施形態における発信者通知用番号の変更動作の一例を説明する処理フローチャートである。
【図３】本発明に係るＶｏＩＰユニットの第２の実施形態における構成の一例を示すブロック構成図である。
【図４】本発明に係るＶｏＩＰユニットの第２の実施形態における発信者番号変更候補記憶手段に予め設定登録されている発信者番号変更候補の一例を示すメモリ構成図である。
【図５】本発明に係るＶｏＩＰユニットの第２の実施形態における発信者通知用番号の変更動作の一例を説明する処理フローチャートである。
【図６】本発明に係るＶｏＩＰ通信端末機器の構成の一例を示すブロック構成図である。
【図７】本発明に係るＶｏＩＰ通信端末機器の発信者番号変更候補記憶手段に予め設定登録されている発信者番号変更候補の一例を示すメモリ構成図である。
【符号の説明】
【００９７】
１００，１００Ａ…ＶｏＩＰユニット、１１０，１１０Ａ…制御部、１１１，１１１Ａ…ＲＡＭ、１１１Ａａ…発信者番号変更候補記憶手段、１１２，１１２Ａ…ＲＯＭ、１１２ａ…発信者番号変更手段、１１２Ａａ…発信者番号変更候補受付手段、１１２Ａｂ…発信者番号呼出変更手段、１２０…音声−デジタル信号処理部、１２１…ＲＡＭ、１３０…切替部、１５１…データ通信ポート、１５２…デジタル通信ポート、１５３…音声ポート、１５４…電話機ポート、１９１…ＡＤＳＬモデム、１９２…スプリッタ、２０１，２０２…電話機、３０１…コンピュータ、４００…ＶｏＩＰ通信端末機器、４００Ａ…電話部、４１０…電話制御部、４１１…ＲＡＭ、４１２…ＲＯＭ、４２０…音声処理部、４３０…回線制御部、４４０…無線制御部、４４１…アンテナ、４５１，４５２…子機、５０１…ネットワーク、９０１…ＬＡＮケーブル、９０２…デジタル信号線、９０３…音声信号線、９０４…ＡＤＳＬ回線。
【図１】
2005086786.tif 000003
【図２】
2005086786.tif 000004
【図３】
2005086786.tif 000005
【図４】
2005086786.tif 000006
【図５】
2005086786.tif 000007
【図６】
2005086786.tif 000008
【図７】
2005086786.tif 000009